【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
超短パルスレーザ光を出射するレーザ光源と、  
該レーザ光源から出射された超短パルスレーザ光をポジティブチャープ化しつつ伝播させる第１の光ファイバと、  
該第１の光ファイバにより伝播されたレーザ光をネガティブチャープ化する負分散光学系と、
該負分散光学系を通過したレーザ光をポジティブチャープ化しつつ伝播させる第２の光ファイバと、
該第２の光ファイバにより伝播されたレーザ光をさらにポジティブチャープ化し、生成された超短パルスレーザ光を標本に照射する顕微鏡本体と、
前記負分散光学系に設けられ、前記レーザ光源からの超短パルスレーザ光の波長の変化または顕微鏡本体における正分散量の変化に応じて、負分散量を調節する負分散量調節部とを備え、 
前記第１の光ファイバと前記第２の光ファイバとの間に前記負分散光学系を配置することにより、前記第１の光ファイバ内の非線形効果と前記第２の光ファイバ内の非線形効果とのバランスが維持され、前記顕微鏡本体から標本に照射する超短パルスレーザ光のパルス幅を維持することができるレーザ顕微鏡。
【請求項２】
前記第１の光ファイバへの超短パルスレーザ光の入射位置を調節する第１のアライメント調節部と、
前記第２の光ファイバへのレーザ光の入射位置を調節する第２のアライメント調節部とを備える請求項１に記載のレーザ顕微鏡。  
【請求項３】
前記レーザ光源から出射される超短パルスレーザ光の波長および／または前記顕微鏡本体の正分散量と対応づけて、前記第１のアライメント調節部および前記第２のアライメント調節部による入射位置を記憶する入射位置記憶部を備える請求項２に記載のレーザ顕微鏡。  
【請求項４】
前記第１の光ファイバから出射されるレーザ光の出力を検出する第１の出力検出部と、
該第１の出力検出部による検出結果に基づいて、第１の光ファイバへの超短パルスレーザ光の入射位置を調節する第１のアライメント調節部と、
前記第２の光ファイバから出射されるレーザ光の出力を検出する第２の出力検出部と、
該第２の出力検出部による検出結果に基づいて、第２の光ファイバへのレーザ光の入射位置を調節する第２のアライメント調節部とを備える請求項１に記載のレーザ顕微鏡。  
【請求項５】
前記レーザ光源から出射される超短パルスレーザ光の波長および／または前記顕微鏡本体の正分散量と対応づけて、前記第１のアライメント調節部および前記第２のアライメント調節部による入射位置を記憶する入射位置記憶部を備える請求項４に記載のレーザ顕微鏡。  
【請求項６】
前記第１のアライメント調節部は、前記第１の出力検出部により検出されるレーザ光の出力が所定の閾値以下となったときに第１の光ファイバへの超短パルスレーザ光の入射位置を調節し、 
前記第２のアライメント調節部は、前記第２の出力検出部により検出されるレーザ光の出力が所定の閾値以下となったときに第２の光ファイバへのレーザ光の入射位置を調節する請求項４または請求項５に記載のレーザ顕微鏡。
【請求項７】
前記入射位置記憶部に記憶された入射位置に前記第１または第２のアライメント調節部を調節する際に、第１の光ファイバへの超短パルスレーザ光の入射を遮断するシャッタを備える請求項３または請求項５に記載のレーザ顕微鏡。  
【請求項８】
前記レーザ光源から出射される超短パルスレーザ光の波長および／または前記顕微鏡本体の正分散量と対応づけて、前記負分散量調節部の調節値を記憶する負分散量調節値記憶部を備える請求項１から請求項７のいずれかに記載のレーザ顕微鏡。  
【請求項９】
前記顕微鏡本体が、超短パルスレーザ光を標本に照射する対物レンズを備え、
該対物レンズから出射された超短パルスレーザ光のパルス幅または標本において発生する蛍光の強度を検出する対物検出部と、  
前記負分散光学系が、該対物検出部における検出結果に基づいて負分散量を調節する請求項１から請求項８のいずれかに記載のレーザ顕微鏡。  
【請求項１０】
前記負分散光学系が、グレーティング対またはプリズム対を含む請求項１から請求項９のいずれかに記載のレーザ顕微鏡。  
【請求項１１】
前記第１の光ファイバおよび第２の光ファイバがシングルモードファイバからなる請求項１から請求項１０のいずれかに記載のレーザ顕微鏡。  
【請求項１２】
前記第１の光ファイバおよび第２の光ファイバが、偏波保持型シングルモードファイバからなる請求項１１に記載のレーザ顕微鏡。  
【請求項１３】
前記第１の光ファイバおよび第２の光ファイバが、フォトニッククリスタルファイバからなる請求項１１に記載のレーザ顕微鏡。  
【請求項１４】
前記第１の光ファイバから出射されるレーザ光を略平行光にする１以上のレンズからなるコリメートレンズと、
前記レーザ光源からの超短パルスレーザ光の波長の変化に応じて、該コリメートレンズを構成するレンズの光軸方向位置を調節するコリメートレンズ調節部とを備える請求項１から請求項１３のいずれかに記載のレーザ顕微鏡。  
【請求項１５】
前記第２の光ファイバの出射端と前記顕微鏡本体との間に配置され、該顕微鏡本体に入射されるレーザ光の光束径および光束広がり角を調節する１以上のレンズからなるビーム整形光学系と、
前記レーザ光源からの超短パルスレーザ光の波長の変化に応じて、該ビーム整形光学系を構成するレンズの光軸方向位置を調節するレンズ位置調整機構とを備える請求項１から請求項１４のいずれかに記載のレーザ顕微鏡。  
【請求項１６】
前記レーザ光源と前記第１の光ファイバとの間または前記第２の光ファイバと前記顕微鏡本体との間のいずれかに、レーザ光の強度を変調する強度変調器を備える請求項１から請求項１５のいずれかに記載のレーザ顕微鏡。  
【請求項１７】
前記レーザ光源と前記第１の光ファイバとの間に、該第1の光ファイバに入射するレーザ光のピーク強度を調整する正分散量可変部を備える請求項１から請求項１６のいずれかに記載のレーザ顕微鏡。  
【請求項１８】
前記レーザ光源、第１の光ファイバおよび負分散光学系を含む光源ユニットと、顕微鏡本体とを第２の光ファイバにより接続してなる請求項１から請求項１７のいずれかに記載のレーザ顕微鏡。  
【手続補正２】
【補正対象書類名】明細書
【補正対象項目名】０００６
【補正方法】変更
【補正の内容】
【０００６】
上記目的を達成するために、本発明は以下の手段を提供する。  
本発明は、超短パルスレーザ光を出射するレーザ光源と、該レーザ光源から出射された超短パルスレーザ光をポジティブチャープ化しつつ伝播させる第１の光ファイバと、該第１の光ファイバにより伝播されたレーザ光をネガティブチャープ化する負分散光学系と、該負分散光学系を通過したレーザ光をポジティブチャープ化しつつ伝播させる第２の光ファイバと、該第２の光ファイバにより伝播されたレーザ光をさらにポジティブチャープ化し、生成された超短パルスレーザ光を標本に照射する顕微鏡本体と、前記負分散光学系に設けられ、前記レーザ光源からの超短パルスレーザ光の波長の変化または顕微鏡本体における正分散量の変化に応じて、負分散量を調節する負分散量調節部とを備え、前記第１の光ファイバと前記第２の光ファイバとの間に前記負分散光学系を配置することにより、前記第１の光ファイバ内の非線形効果と前記第２の光ファイバ内の非線形効果とのバランスが維持され、前記顕微鏡本体から標本に照射する超短パルスレーザ光のパルス幅を維持することができるレーザ顕微鏡を提供する。  
【手続補正３】
【補正対象書類名】明細書
【補正対象項目名】００１６
【補正方法】変更
【補正の内容】
【００１６】
また、上記発明においては、前記レーザ光源から出射される超短パルスレーザ光の波長および／または前記顕微鏡本体の正分散量と対応づけて、前記負分散量調節部の調節値を記憶する負分散量調節値記憶部を備えることとしてもよい。  
このようにすることで、レーザ光源から出射される超短パルスレーザ光の波長や顕微鏡本体における正分散量が変化したときに、まず、負分散量調節値記憶部に記憶されている負分散量調節値を読み出して負分散量調節部の負分散量を調節することにより、簡易かつ迅速に第１，第２の光ファイバ内における非線形効果のバランスを図り、適正な超短パルスレーザ光を標本に照射することができる。